(57)【要約】【課題】魚は通過可能で且つ川鵜は通過不能でありながら、いったん網目に引っかかった川鵜をそのまま捕獲することができる川鵜捕獲網を提供する。【解決手段】網目９が縦に長い長方形のため、魚２は通過しやすい形状である。隣接する網目９同士が１／２縦寸法分だけ変位しており、縦糸５の中央部分を隣接する網目９の横糸６により両側から支えた状態になっているため、網目９の横寸法Ａが拡がりにくい。従って、川鵜４の首が網目９内に入り込み、縦糸５がいったん川鵜４の羽根に引っかかると容易に抜けず、そのまま捕獲することができる。【選択図】図５
2009296955.tif 000002
【特許請求の範囲】
【請求項１】
水面近くから網面が縦になるように水中に設置する川鵜捕獲網であって、
網目が縦に長い長方形で、横寸法が１０〜２５ｃｍであり、隣接する網目同士が１／２縦寸法分だけ変位してことを特徴とする川鵜捕獲網。
【請求項２】
網目の横寸法が１５ｃｍで、縦寸法が３０ｃｍであることを特徴とする請求項１記載の川鵜捕獲網。
【請求項３】
網目を構成する横糸が縦糸よりも太く形成されていることを特徴とする請求項１又は請求項２記載の川鵜捕獲網。
【請求項４】
透明又は水色の材質で形成したことを特徴とする請求項１〜３のいずれか１項に記載の川鵜捕獲網。
【発明の詳細な説明】
【技術分野】
【０００１】
本発明は、異常に繁殖した川鵜の固体数を減らし、川鵜による公害を防ぐため捕獲する川鵜捕獲網に関するものである。
【背景技術】
【０００２】
近年、川鵜の異常繁殖による、樹木の枯死、樹木の枯死による景観の悪化、悪臭、騒音、糞害、土壌汚染、水質汚染などの被害が拡大している。特にひどいのは川鵜に採餌される魚類の激減である。遊漁地での自主放流や、遊魚者の寄金による放流など冬季に行って、生息量の確保、及び増加を図っているのにもかからず、川鵜による食害はその放流量を上回り、場所によっては生息数が激減している。
【０００３】
環境省の特定鳥獣保護管理計画マニュアル（カワウ編）によると、成鳥の川鵜が一日に採餌する量は約５００ｇとあるが、実際には、それ以上で、おそらくは１ｋｇにちかい魚を常時採餌しているものと思われる。対策として湖沼及び河川の管理者は銃砲を使いたくも禁猟区のため使用できない。花火など音による脅威を与えて追い払う努力をしても川鵜がすぐに慣れてしまい現在ではまったく効果がない。わずかに効果があるのは、競技用のパチンコを打つことのみで、それも川鵜の身近に着弾したときのみ驚いて飛び立つが、パチンコの届かない離れた場所に再び着水して採餌活動に入るなど、管理者は川鵜から魚を守るための良案を見いだせないのが現状である。
【０００４】
水中で、川鵜から魚を保護する方法として、水中に防鳥ネットを配置する方法が知られている。すなわち、魚は通過可能だが、川鵜は通過不能な網目の防鳥ネットを水中に配置して、魚を川鵜から保護する方法である（例えば、特許文献１参照）。
【０００５】
【特許文献１】特開２００５−５８０１１号公報
【発明の開示】
【発明が解決しようとする課題】
【０００６】
しかしながら、このような従来の技術にあっては、防鳥ネットの網目が単なる長方形或いは菱形等のもので、川鵜の首が入り込んだ状態で容易にその幅が拡がるため、川鵜は網目内に入り込んだ首を容易に引き抜くことができ、川鵜を捕獲することができない。
【０００７】
本発明はこのような従来の技術に着目してなされたものであり、魚は通過可能で且つ川鵜は通過不能でありながら、いったん網目に引っかかった川鵜をそのまま捕獲することができる川鵜捕獲網を提供するものである。
【課題を解決するための手段】
【０００８】
請求項１記載の発明は、水面近くから網面が縦になるように水中に設置する川鵜捕獲網であって、網目が縦に長い長方形で、横寸法が１０〜２５ｃｍであり、隣接する網目同士が１／２縦寸法分だけ変位してことを特徴とする。
【０００９】
請求項２記載の発明は、網目の横寸法が１５ｃｍで、縦寸法が３０ｃｍであることを特徴とする。
【００１０】
請求項３記載の発明は、網目を構成する横糸が縦糸よりも太く形成されていることを特徴とする。
【００１１】
請求項４記載の発明は、透明又は水色の材質で形成したことを特徴とする。
【発明の効果】
【００１２】
請求項１記載の発明によれば、網目が縦長の長方形のため、縦長断面の魚は通過しやすい形状である。網目の横寸法が１０〜２５ｃｍのため、ヘラブナなどの成魚は通過できるが、川鵜は首のみ通過可能であり羽根のある胴体部分は通過できない。隣接する網目同士が１／２縦寸法分だけ変位しており、縦糸の中央部分を隣接する網目の横糸で両側から支えた状態になっているため、網目の横寸法が拡がりにくい。従って、川鵜の首が網目内に入り込み、縦糸がいったん川鵜の羽根に引っかかると容易に抜けず、そのまま捕獲することができる。
【００１３】
請求項２記載の発明によれば、網目の横寸法が１５ｃｍで、縦寸法が３０ｃｍであり、日本の川、沼、湖における魚の固体分布及び川鵜の個体分布に適しており、魚の保護性能及び川鵜の捕獲性能が高い。
【００１４】
請求項３記載の発明によれば、網目を構成する横糸が縦糸よりも太く形成されているため、網目の横方向への拡がりを規制する力が強く、川鵜の捕獲性能が高い。
【００１５】
川鵜捕獲網が透明又は水色の材質で形成されているため、川鵜が視認しずらく、捕獲されやすい。
【発明を実施するための最良の形態】
【００１６】
本発明の好適な実施形態を図１〜図８に基づいて説明する。この実施形態では、ダム湖１を例に説明する。ダム湖１の魚２が居そうな場所に川鵜捕獲網３を設置する。川鵜捕獲網３は一箇所に限定せず、川鵜４が狙う魚２が居そうな箇所に複数設置する。
【００１７】
川鵜捕獲網３は、全体の長さ寸法が７０ｍで、上下幅寸法が１０ｍである。ポリエステル系の合成繊維による縦糸５と横糸６から形成されている。また、川鵜捕獲網３の色は水色（透明でも可）に形成されている。川鵜捕獲網３の上下幅寸法は、持ち運びを容易性を向上させるため、半分（５ｍ）にして、上下２段式に連結して使用しても良い。
【００１８】
水面付近にブイ７を浮かし、そこに川鵜捕獲網３の上縁を吊り下げている。川鵜捕獲網３の下縁には錘８が取付けられている。従って、川鵜捕獲網３は、水面近くから網面が縦になるように水中に設置されている。
【００１９】
網目９は縦長の長方形で、横寸法Ａが１５ｃｍで、縦寸法Ｂが３０ｃｍである。隣接する網目９同士は、縦寸法が１／２（１５ｃｍ）ずつ変位している。従って、隣接する網目９同士は、縦糸５は縦方向で連続しているが、横糸６は段違い状態になっている。
【００２０】
縦糸５の径は２ｍｍだが、横糸６の径は４．５ｍｍである。従って、横糸６の太さ（断面積）は、縦糸５の太さ（断面積）の約５倍で、横糸６の方が縦糸５よりも剛性が高い。横糸５の径は、４〜１０ｍｍが好適である。
【００２１】
次に作用を説明する。
【００２２】
川鵜４は水中の魚２を追いかける特性を有している。すなわち、空中から水中に入り込み、水中の魚２を追いかける（図６参照）。
【００２３】
魚２は川鵜４に追われると、反射的に逃げる。魚２が川鵜捕獲網３に向かって逃げた場合、川鵜捕獲網３の網目９が魚２の形に相応した縦長の長方形であるため、魚２は容易に網目９を通り抜けることができる（図７参照）。川鵜捕獲網３自体が合成繊維製のため、仮に魚２が縦糸５や横糸６に当たっても傷つかない。
【００２４】
網目９を通過した魚２を追って、川鵜４はまだ追いかける特性を有している。特に、川鵜捕獲網３が水に紛れやすい水色をしているため、川鵜４は逃げた魚２を追う時にも障害物としての川鵜捕獲網３に気が付かず、川鵜捕獲網３に引っかかる（図８参照）。
【００２５】
川鵜４が川鵜捕獲網３に引っかかる場合、首のみ網目９内に入り込み、胴体の羽根は網目９の縦糸５に引っかかって通過できない。しかも、縦糸５に羽根が一度引っかかると容易に抜けない。なぜならば、隣接する網目９同士が１／２縦寸法分だけ変位しており、縦糸５の中央部分を、隣接する網目９の横糸６により両側から支えた状態になっているため、網目９が横方向に大きく拡がらないからである。
【００２６】
網目９に川鵜４の首が進入して、縦糸５が両側に少し拡がると、両側にある横糸６が少し撓むが、その撓みの反力（復元力）Ｆが縦糸５の両側から加わるため、縦糸５の横方向への大幅な拡がりが規制されて、縦糸５が川鵜４の羽根に食い込む。そのため、川鵜４は網目９から容易に抜けず、そのまま捕獲することができる。錘８により、縦糸５に上下方向でのテンションが付与していることも、縦糸５の拡がりを抑制する効果がある。
【００２７】
本来、空を飛ぶ川鵜４を空中で捕らえることは困難であるが、発想の転換により、川鵜４が水中で魚２を追いかける特性に着目し、その特性を利用して、水中で川鵜捕獲網３により川鵜４を容易に捕獲することができる。
【図面の簡単な説明】
【００２８】
【図１】この実施形態に係る川鵜捕獲網をダム湖に設置したを示す断面図。
【図２】川鵜捕獲網を示す全体図。
【図３】川鵜捕獲網の網目を示す拡大図。
【図４】魚が網目を通過している状態を示す図。
【図５】川鵜の首が網目に入り込んだ状態を示す図。
【図６】川鵜が魚を追う状態を示す水中の図。
【図７】魚が網目を通過した状態を示す水中の図。
【図８】川鵜の首が網目に入り込んだ状態を示す水中の図。
【符号の説明】
【００２９】
１  ダム湖
２  魚
３  川鵜捕獲網
４  川鵜
５  縦糸
６  横糸
７  ブイ
８  錘
９  網目
Ａ  横寸法
Ｂ  縦寸法
Ｆ  反力
【図１】
2009296955.tif 000003
【図２】
2009296955.tif 000004
【図３】
2009296955.tif 000005
【図４】
2009296955.tif 000006
【図５】
2009296955.tif 000007
【図６】
2009296955.tif 000008
【図７】
2009296955.tif 000009
【図８】
2009296955.tif 000010